(57)【特許請求の範囲】
【請求項１】
下部に充電及びデータ通信を行なう接点を有する端末装置と、
前記端末装置を載置するクレードルとよりなる端末装置システムであって、
前記クレードルは、
レバーと端子とを対面させて設けたスライダと、
前記スライダをガイドするレールを前記端末装置が挿入される凹部の下位に設け、
前記スライダは前記端末装置が前記レバーに当接した力で前記レール上を移動し、前記レールに設けたストッパと前記スライダの一部とが契合して前記端子が前記接点と接触した状態を維持することを特徴とする端末装置システム。
【請求項２】
端末装置を載置するクレードルであって、
レールと、レバーと端子を対向して設けたスライダとを有し、
前記スライダが前記レール上を移動するものであり、
前記スライダは前記端末装置が前記レバーに当接した力で移動し、前記レールに設けたストッパと前記スライダの一部とが契合して前記端子が前記端末装置に設けた接点と接触した状態を維持することを特徴とするクレードル。
【請求項３】
前記端末装置は表面に表示部及び操作部を有し、裏面の下部に前記接点を有することを特徴とする請求項１に記載の端末装置システム。
【発明の詳細な説明】
【技術分野】
【０００１】
本発明は、端末装置システム及びクレードルと端末装置とに関し、クレードルを介して端末装置から情報を取得したり、端末装置を充電するものである。
【背景技術】
【０００２】
従来、端末装置から情報を取り出したり、端末装置に内蔵する電池を充電する電力を供給するクレードル及び端末装置がある。クレードルは信号の端子、充電の端子が常時露出しているものあるが、端子間のショート、端子と端末装置とのスレを防止するため端末装置をクレードルに挿入したときに、端子が突出してくるものがある（例えば、特許文献１参照）。
【先行技術文献】
【特許文献】
【０００３】
【特許文献１】特開２００８―８５８３３号広報
【発明の概要】
【発明が解決しようとする課題】
【０００４】
しかしながら、従来の装置においては、クレードルから端子が飛び出してくる機構として、端末装置に押されるレバーと端子部分とをシーソー様に構成し、支点を中心とした回転動作で端子を端末装置の接点に押当てていた。
【０００５】
しかし、回転動作で端子を突出させる構造では、端末装置に接するレバーの押上げ力が端末装置との接触当初は小さくてもシーソー部材の回転に比例して増大するため、端末装置をセットしてクレードルに保持している状態ではレバーの力で端末装置が浮き上がり易く、振動や少しの接触で端子と接点とが外れたり端末装置に「浮き」が発生して接触不良が発生する可能性があった。この現象は端子と接点との接触を考慮して端子のバネ性を強くすればなおさら助長される。
【０００６】
本発明は、上記従来の問題を解決するためになされたもので、クレードルの端子と端末装置の接点が接触する際に端末装置を押上げる力を抑制しつつ端子と接点は十分な力で圧接され、かつスムーズな操作感覚を与える端末装置システム及びクレードルと端末装置を供給するものである。
【課題を解決するための手段】
【０００７】
本発明の端末装置システムは、表面に表示部及び操作部を有し裏面の下部に充電及びデータ通信を行なう接点を有する端末装置と、前記端末装置を載置するクレードルよりなる端末装置システムが、前記クレードルはレールと、レバーと端子を対向して設けてスライダとを有し、前記スライダは前記端末装置が前記レバーに当接した力で前記レール上を移動し、前記レールに設けたストッパと前記スライダの一部とが契合して前記端子が前記接点と接触した状態を維持するる構成を有している。
【０００８】
この構成により、端子が接点に接触している間はレバーが端末装置を押上げる力を抑制しつつ、スムースな操作感覚を得ることができる。
【０００９】
また、本発明クレードルでは、レールと、レバーと端子を対向して設けてスライダとを有し、前記スライダが前記レール上を移動するものであり、前記スライダは前記端末装置が前記レバーに当接した力で移動し、前記レールに設けたストッパと前記スライダの一部とが契合して前記端子が前記端末装置に設けた接点と接触し他状態を維持する構成を有している。
【００１０】
この構成によっても、端子が接点に接触している間はレバーが端末装置を押上げる力を抑制しつつ、スムースな操作感覚を得ることができる。
【発明の効果】
【００１３】
本発明は、クレードルの端子が端末装置の接点に安定して接触おり、かつ結果操作性に優れた端末装置システム及びクレードルと端末装置を提供することができるものである。
【図面の簡単な説明】
【００１４】
【図１】本発明の実施の形態におけるクレードルの斜視図
【図２】（ａ）本発明の実施の形態におけるクレードルと端末装置の使用状態を示す斜視図、（ｂ）本発明の実施の形態におけるクレードルに端末装置をセットした状態を示す斜視図
【図３】本発明の実施の形態におけ端末装置の裏面を示す図
【図４】本発明の実施の形態におけるスライダを示す図
【図５】本発明の実施の形態におけるスライドレール示す図
【図６】本発明の実施の形態におけるクレードルの構成を示す図
【図７】本発明の実施の形態におけるクレードルを断面により構成を示す図
【図８】本発明の実施の形態における端末装置がセットされていない状態でのスライダとスライドレールの位置を示す図
【図９】本発明の実施の形態における端末装置がセットされた状態でのスライダとスライドレールの位置を示す図
【発明を実施するための形態】
【００１５】
以下、本発明の実施の形態の端末装置について、図面を用いて説明する。本実施の形態では、宅配便の業者が荷物の受け渡しに関する処理に用いる端末装置とクレードルの場合を例示する。
【００１６】
本発明の実施の形態のクレードルと端末装置の外観と使用状態を、図１から図３を参照して説明する。なお、以下では、本発明に特徴的な構成（主要な構成）を中心に説明する。
【００１７】
図１にはクレードル１の外観を、図２（ａ）、図２（ｂ）にはクレードル１と端末装置４の使用状態を、図３は端末装置４の裏面を示している。クレードル１は上方に向けて端末装置を受け入れる凹部３があり、凹部の底面近くの側面に飛び出してくる端子３２をガイドする端子ガイド２がある。
【００１８】
図２（ａ），図２（ｂ）、及び図３に示す端末装置４は表面にＬＣＤで構成された表示部とテンキー、ファンクションキーで構成された入力部があり裏面には荷物に貼られたバーコードを読取る光学ヘッド部２１、端末装置を保持するためのグリップ２２、充電、データ通信を行なう接点２３がある。
【００１９】
またクレードル１には図６、断面図である図７に示すように内部にスライダ３１、スライドレール基台４０が内蔵されている。
【００２０】
図４に示すようにスライダ３１には、端子３２に向かい合う位置にレバー３３がある。端子３２は導電性がよく、バネ性が高いリン青銅やピアノ線を金メッキしたものを用いる。端子３２は図２（ａ）に示す状態では凹部３に出てきておらず、金属クリップ等の異物が転がり込んでもショートしないようにしている。たとえ金属の異物が凹部に落下しても端子ガイドは側面に構成されているため、端子３２が突出する動作で底部に落下し、端子３２からの充電、データの取り出し等の動作に深刻な影響を与えることは無い。
【００２１】
また、レバー３３と端子３２は一体のスライダ３１上に構成されている。また端子は線バネで形成されており、かつ突出部が長いためターミナルホルダ３６で根元を位置決めされてスライダ基板３７にハンダ付けで電気的に接続されている。スライダ基板３７は端子３２をターミナルホルダ３６とともに固定し、さらに図示していない柔軟なフレキシブル基板でボディ５１に設けた外部とのコネクタ（図示せず）に接続されている。
【００２２】
またスライダ３１は図５に示すスライドレール基台４０に設けたスライドレールＡ４１、スライドレールＢ４２によってガイドされて摺動移動する。スライドレール基台４０にはスライダ３１のスライドピンＢ３５が押当てられ停止するストッパＢ４５、スライダを付勢するバネ４３が取り付けられている。バネ４３は対象形状でスライダ３１の両側に設けたバネの外れ防止フランジを設けたバネ掛け３８に係り、スライダ３１を押す。
【００２３】
スライダ３１はバネ４３により端末装置が挿入されていないときはスライドピンＡ３４がスライドレールＡ４１に乗り、スライドピンＢ３５スライドレールＢ４２に乗っていてストッパＢ４５に押当てられている状態で停止している。この位置が、端末装置が挿入されていない状態の定位置である。
【００２４】
この定位置では端子３２はクレードルの凹部に出ておらず、レバー３３が凹部３内に出ている。図７の断面図に示すように凹部３はレバーに向けて端末装置の表示部が上を向く方向で挿入されるように角度が付けられており、レバー３３を端末装置が押す際の水平分力多くなってスライダ３１が移動しやすい構成としている。またこの角度を付けることによって図２（ｂ）に示すようにクレードルにセットした場合の端末装置の表示を見易くする効果もある。
【００２５】
図１に示す凹部３に端末装置４を挿入するとレバー３３の斜面に端末装置の下前面のコーナが接し、斜面によりスライダ３１に水平分力が生じスライダが移動する。スライダには同時に垂直分力も発生しているためスライダに設けたスライドピンＢ３５はスライドレールの一端に設けたストッパＡ４４のところまで来るとストッパＡ４４に入り込み停止する。反対に端末装置４をクレードル１から取り出すと垂直分力なくなるためスライドピンＢ３５はストッパＡ４４からはずれ、バネ４３により定位置まで戻される。
【００２６】
このように、スライダ３１スライドピンＢがストッパＡに契合している間はバネ４３による戻し力が抑止されているため、接点２３と端子３２とが安定して接触する。
【００２７】
さらに、スライドピンＢ３５とストッパＡ４４との契合は端子３２が端末装置の接点２３を押す圧接力をも相殺しているため、接触力がさらに安定して、安全なデータの読み出し、電力の供給を行なうことができる。
【００２８】
図８、図９はスライダ３１、スライドレールＡ４１とスライドレールＢ４２と一体であるスライドレール基台４０との位置関係を示す。図９はスライドピンＢ３５がストッパＡ４４に契合する様子を示したものである。図８は定位置にスライダ３１がある状態を示している。
【００２９】
図９の状態を保持するためには図２（ｂ）のようにレバー３３から端末装置の自重による垂直分力が必要である。端末装置の垂直分力が無い状態ではスライドピンＢ３５とストッパＡ４４の契合が浅くかつバネ４３による垂直分力がスライダ３１の自重による垂直分力に勝るためスライドピンＢ３５とストッパＡ４４との契合が解かれて、スライダ３１はバネ４３により定位置に押戻されるまたスライダ３１、レール等は摩擦計数が低く、かつ磨り減りにくい樹脂（例えばフッ素樹脂）で作られるのが好ましい。
【００３０】
また端子３２はバネ性を有しているため、バネ定数を下げると振動が発生しやすい。かといって高いバネ定数を与えると端末装置の接点を傷めてしまうことも考えられる。このため低いバネ定数で変移を大きくして接点を構成するのほうが動作として安定しやすいが、可動範囲が大きいため接触点が安定しないという問題が発生する。
【００３１】
この矛盾を解決するため、端子３２はスライダ基板３７への固定部分近くをターミナルホルダでガイドし、接点近くの端子３２は端子ガイド２に設けたスリットの間を通して端子３２の先端部の横方向の変移と振動を抑制している。
【００３２】
図３に示す端末装置４は装置裏面のグリップ２２の下部（操作部の反対側）に充電あるいはデータ通信を行なうための接点２３を設けている。端末装置の表面の下部、特に端部はレバー３３と接するためゆるいカーブが施され、硬質のプラスチック、金属などで構成されているのが好ましい。ここにカーブを設け、硬質の材料とすることは端末装置の対落下性能を向上させる効果も有する。
【００３３】
以上、本発明の実施の形態を例示により説明したが、本発明の範囲はこれらに限定されるものではなく、請求項に記載された範囲内において目的に応じて変更・変形することが可能である。
【産業上の利用可能性】
【００３４】
以上のように、本発明にかかる端末装置は、端末装置及び端末装置の充電、通信を行なうクレードルに関する。
【符号の説明】
【００３５】
１    クレードル
２    端子ガイド
３    凹部
４    端末装置
２３    接点
３１    スライダ
３２    端子
３３    レバー
３４    スライドピンＡ
３５    スライドピンＢ
４１    スライドレールＡ
４２    スライドレールＢ
４３    バネ
４４    ストッパＡ
４５    ストッパＢ
【図１】
0005768215.tif 000002
【図２】
0005768215.tif 000003
【図３】
0005768215.tif 000004
【図４】
0005768215.tif 000005
【図５】
0005768215.tif 000006
【図６】
0005768215.tif 000007
【図７】
0005768215.tif 000008
【図８】
0005768215.tif 000009
【図９】
0005768215.tif 000010